(57)【特許請求の範囲】
【請求項１】
画像表示装置を台座に取り付ける画像表示装置の取付構造であって、
前記画像表示装置を前記台座に取り付けた状態において、互いに直交する３方向であって前記画像表示装置の表示画面の横軸方向に平行なＸ軸方向、前記表示画面の縦軸方向に平行なＹ軸方向、及び前記表示画面に直交するＺ軸方向のうち、前記Ｚ軸方向に前記台座に対する前記画像表示装置の取付位置を変動させる第１変動機構を有し、他の２方向に前記台座と前記画像表示装置との相対位置が変位自在に構成される１以上の第１取付部材と、
前記画像表示装置を前記台座に取り付けた状態において、前記Ｘ軸方向又は前記Ｙ軸方向の何れかの方向並びに前記Ｚ軸方向に前記台座に対する前記画像表示装置の取付位置を変動させる第２変動機構を有し、前記３方向のうち他の１方向に前記台座と前記画像表示装置との相対位置が変位自在に構成される１以上の第２取付部材と、
前記画像表示装置を前記台座に取り付けた状態において、前記Ｘ軸方向及び前記Ｙ軸方向のうち前記第２変動機構によって変動させられない方向並びに前記Ｚ軸方向を含む少なくとも２方向に前記台座に対する前記画像表示装置の取付位置を変動させる第３変動機構を有し、前記３方向のうち他の全方向に前記台座と前記画像表示装置との相対位置が変位自在に構成される１以上の第３取付部材とを備える、画像表示装置の取付構造。
【請求項２】
前記第１取付部材は、前記画像表示装置の下側の両端部の角部に取り付けられる、請求項１に記載の画像表示装置の取付構造。
【請求項３】
前記第２取付部材は、前記画像表示装置の上側の一方の端部の角部に取り付けられ、
前記第３取付部材は、前記画像表示装置の上側の他方の端部の角部に取り付けられる、請求項１又は２に記載の画像表示装置の取付構造。
【請求項４】
前記第１取付部材は、前記台座に固定される第１台座固定部材、前記画像表示装置に固定される第１装置固定部材、前記第１台座固定部材と前記第１装置固定部材とを連結する第１連結部材、及び第１調整ボルトを含み、
前記第１台座固定部材と前記第１連結部材とは、前記Ｘ軸方向に互いに異なる複数の相対位置に配置された状態で連結自在に構成され、
前記第１装置固定部材は、前記Ｚ軸方向に前記第１調整ボルトがねじ込まれる第１ネジ孔を有し、
前記第１調整ボルトは、第１係止部を有し、前記第１連結部材に対する前記Ｚ軸方向の移動を規制されかつ前記Ｙ軸方向に変位自在に前記第１係止部を前記第１連結部材に係止された状態で前記第１ネジ孔にねじ込まれる、請求項１から３のいずれかに記載の画像表示装置の取付構造。
【請求項５】
前記第２取付部材は、前記台座に固定される第２台座固定部材、前記画像表示装置に固定される第２装置固定部材、前記第２台座固定部材と前記第２装置固定部材とを連結する第２連結部材、第２調整ボルト、及び第３調整ボルトを含み、
前記第２装置固定部材は、前記Ｚ軸方向に前記第２調整ボルトがねじ込まれる第２ネジ孔を有し、
前記第２台座固定部材は、前記Ｙ軸方向に前記第３調整ボルトがねじ込まれる第３ネジ孔を有し、
前記第２調整ボルトは、第２係止部を有し、前記第２連結部材に対する前記Ｚ軸方向の移動を規制されかつ前記Ｘ軸方向に変位自在に前記第２係止部を前記第２連結部材に係止された状態で前記第２ネジ孔にねじ込まれ、
前記第３調整ボルトは、第３係止部を有し、前記第２連結部材に対する前記３方向の移動を規制されるように前記第３係止部を前記第２連結部材に係止された状態で前記第３ネジ孔にねじ込まれる、請求項１から４のいずれかに記載の画像表示装置の取付構造。
【請求項６】
前記第２取付部材は、前記台座に固定される第２台座固定部材、前記画像表示装置に固定される第２装置固定部材、前記第２台座固定部材と前記第２装置固定部材とを連結する第２連結部材、第２調整ボルト、及び第３調整ボルトを含み、
前記第２装置固定部材は、前記Ｚ軸方向に前記第２調整ボルトがねじ込まれる第２ネジ孔を有し、
前記第２台座固定部材は、前記Ｘ軸方向に前記第３調整ボルトがねじ込まれる第３ネジ孔を有し、
前記第２調整ボルトは、第２係止部を有し、前記第２連結部材に対する前記Ｚ軸方向の移動を規制されかつ前記Ｘ軸方向に変位自在に前記第２係止部を前記第２連結部材に係止された状態で前記第２ネジ孔にねじ込まれ、
前記第３調整ボルトは、第３係止部を有し、前記第２連結部材に対する前記Ｘ軸方向及び前記Ｚ軸方向の移動を規制されるように前記第３係止部を前記第２連結部材に係止された状態で前記第３ネジ孔にねじ込まれる、請求項１から４のいずれかに記載の画像表示装置の取付構造。
【請求項７】
前記第３取付部材は、前記台座に固定される第３台座固定部材、前記画像表示装置に固定される第３装置固定部材、前記第３台座固定部材と前記第３装置固定部材とを連結する第３連結部材、第４調整ボルト、第５調整ボルト、及び第６調整ボルトを含み、
前記第３装置固定部材は、前記Ｚ軸方向に前記第４調整ボルトがねじ込まれる第４ネジ孔、及び前記Ｘ軸方向に前記第５調整ボルトがねじ込まれる第５ネジ孔を有し、
前記第３台座固定部材は、前記Ｙ軸方向に前記第６調整ボルトがねじ込まれる第６ネジ孔を有し、
前記第４調整ボルトは、第４係止部を有し、前記第３連結部材に対する前記Ｚ軸方向の移動を規制されかつ前記Ｘ軸方向に変位自在に前記第４係止部を前記第３連結部材に係止された状態で前記第４ネジ孔にねじ込まれ、
前記第５調整ボルトは、第５係止部を有し、前記第３連結部材に対する前記Ｘ軸方向の移動を規制されかつ前記Ｚ軸方向に変位自在に前記第５係止部を前記第３連結部材に係止された状態で前記第５ネジ孔にねじ込まれ、
前記第６調整ボルトは、第６係止部を有し、前記第３連結部材に対する前記３方向の移動を規制されるように前記第６係止部を前記第３連結部材に係止された状態で前記第６ネジ孔にねじ込まれる、請求項１から６のいずれかに記載の画像表示装置の取付構造。
【請求項８】
前記第２取付部材は、前記画像表示装置の上側の両端部の角部に取り付けられ、
前記第３取付部材は、前記画像表示装置の上端部又は下端部の前記Ｘ軸方向における中央部に取り付けられる、請求項１又は２に記載の画像表示装置の取付構造。
【請求項９】
前記第１取付部材は、前記台座に固定される第４台座固定部材、前記画像表示装置に固定される第４装置固定部材、及び前記Ｙ軸方向に配置される第１調整シャフトを含み、
前記第１調整シャフトが前記Ｙ軸方向を軸にして回転することで前記第４台座固定部材と前記第４装置固定部材との相対位置が前記Ｚ軸方向に移動するように構成される、請求項１、２、３又は８のいずれかに記載の画像表示装置の取付構造。
【請求項１０】
前記第２取付部材は、前記台座に固定される第５台座固定部材、前記画像表示装置に固定される第５装置固定部材、及び前記Ｙ軸方向に配置される第２調整シャフトを含み、
前記第２調整シャフトは、雄ネジが形成されたシャフト部、及び前記シャフト部に嵌まる支持ナットを有し、
前記第５装置固定部材は、前記支持ナットによって前記Ｙ軸方向に支持され、
前記第２調整シャフトが前記Ｙ軸方向を軸にして回転することで前記第５台座固定部材と前記第５装置固定部材との相対位置が前記Ｚ軸方向に移動するように構成される、請求項１、２、３、８又は９のいずれかに記載の画像表示装置の取付構造。
【発明の詳細な説明】
【技術分野】
【０００１】
この発明は、台座に取り付けられる画像表示装置の取付構造に関する。
【背景技術】
【０００２】
画像表示装置は、台座に取り付けられて、正確に位置調整されることが望まれることがある。近年、公共空間における情報表示用途、アミューズメント用途、又は業務用途として、単一の画像表示装置では実現が難しい高解像度の画像を大画面で表示する要望が高まっており、マルチディスプレイ装置が用いられるようになっている。マルチディスプレイ装置では、複数の画像表示装置のそれぞれの表示画面が互いに隣接配置されて大画面が形成されるように複数の画像表示装置のそれぞれが台座に取り付ける。例えば、マルチディスプレイ装置は、マトリクス配置された複数の画像表示装置で構成される。
【０００３】
このようなマルチディスプレイ装置では、複数の画像表示装置の表示画面の全体で一つの画像が表示される事が多い。このため、画像の表示品質の低下を防ぐために、複数の画像表示装置の間の隙間や大画面における凹凸を無くすように、台座への取り付け時には個々の画像表示装置を精度良く位置決めする必要がある。画像表示装置を台座へ取り付けるための規格として、ＶＥＳＡ（Video Electronics Standards Association）マウント規格が知られているが、この規格に準拠した取付構造を用いた場合、位置調整してビスを締めた後で確認するといった作業を繰り返すことになるので、作業性が悪く、取り付け作業に長時間を要している。
【０００４】
そこで、台座に取り付けられた台座側支持板に雄ネジが形成されたピン部材が支持され、画像表示装置の背面に取り付けられた表示側支持板にピン部材がねじ込まれ、ピン部材を回転させることで画像表示装置の上下方向の位置調整が行われ、ピン部材は台座側支持板に横方向に設けられた長孔内を摺動することで画像表示装置が横方向に変位自在に構成された取付構造が提案されている（例えば、特許文献１参照。）。
【先行技術文献】
【特許文献】
【０００５】
【特許文献１】特許第４８８３６５９号公報
【発明の概要】
【発明が解決しようとする課題】
【０００６】
しかし、特許文献１に記載された従来の画像表示装置の取付構造では、画像表示装置を上下方向に変動させる機構、及び横方向に変位自在にする構成は備えられているが、表示画面に直交する方向の位置調整を行うことができず、複数の表示画面で構成される大画面における凹凸を低減させることができないという問題がある。
【０００７】
また、従来の画像表示装置の取付構造では、ピン部材に画像表示装置の重量が負荷されるので、ピン部材と台座側支持板との間の摩擦力が大きくなる。このため、画像表示装置を横方向に微調整することが困難であるという問題もある。このように、従来の画像表示装置の取付構造では、画像表示装置の台座への取付位置を調整することが難しい。
【０００８】
この発明の目的は、画像表示装置の台座への取付位置の調整を容易に行うことができる画像表示装置の取付構造を提供することにある。
【課題を解決するための手段】
【０００９】
この発明の画像表示装置の取付構造では、画像表示装置は台座に取り付けられる。画像表示装置の取付構造は、１以上の第１取付部材、１以上の第２取付部材、及び１以上の第３取付部材を備える。第１取付部材は、画像表示装置を台座に取り付けた状態において、互いに直交する３方向であって画像表示装置の表示画面の横軸方向に平行なＸ軸方向、表示画面の縦軸方向に平行なＹ軸方向、及び表示画面に直交するＺ軸方向のうち、Ｚ軸方向に台座に対する画像表示装置の取付位置を変動させる第１変動機構を有し、他の２方向に台座と画像表示装置との相対位置が変位自在に構成される。第２取付部材は、画像表示装置を台座に取り付けた状態において、Ｘ軸方向又はＹ軸方向の何れかの方向並びにＺ軸方向に台座に対する画像表示装置の取付位置を変動させる第２変動機構を有し、３方向のうち他の１方向に台座と画像表示装置との相対位置が変位自在に構成される。第３取付部材は、画像表示装置を台座に取り付けた状態において、Ｘ軸方向及びＹ軸方向のうち第２変動機構によって変動させられない方向を含む少なくとも１方向に台座に対する画像表示装置の取付位置を変動させる第３変動機構を有し、３方向のうち他の全方向に台座と画像表示装置との相対位置が変位自在に構成される。
【００１０】
この構成では、画像表示装置は少なくとも第１変動機構及び第２変動機構によってＺ軸方向に動かされ、他の取付部材が台座と画像表示装置との相対位置がＺ軸方向に変位自在であるように構成されることで、Ｚ軸方向に位置調整される。また、画像表示装置は、第２変動機構及び第３変動機構のうち少なくとも一方によってＹ軸方向に動かされ、他の取付部材の全てが台座と画像表示装置との相対位置がＹ軸方向に変位自在であるように構成されることで、Ｙ軸方向に位置調整される。さらに、画像表示装置は、第２変動機構又は第３変動機構の何れかによってＸ軸方向に動かされ、他の取付部材の全てが台座と画像表示装置との相対位置がＸ軸方向に変位自在であるように構成されることで、Ｘ軸方向に位置調整される。このように、互いに異なる３方向の全方向に位置調整することができる。
【００１１】
また、３方向の全方向について変動機構を備えるので、Ｚ軸方向の位置調整作業中におけるＸ軸方向及びＹ軸方向の位置ずれが抑制され、Ｙ軸方向の位置調整作業中におけるＸ軸方向及びＺ軸方向の位置ずれが抑制され、Ｘ軸方向の位置調整作業中におけるＹ軸方向及びＺ軸方向の位置ずれが抑制される。
【００１２】
さらに、画像表示装置の重量が大きい場合でも、変動機構によって画像表示装置の台座への取付位置を容易に微調整できる。
【００１３】
また、第１〜第３取付部材の画像表示装置における取付位置及び第１〜第３取付部材の組み合わせによって、Ｘ軸方向、Ｙ軸方向、及びＺ軸方向に加えて、Ｘ軸方向を中心とする回転方向、Ｙ軸方向を中心とする回転方向、及びＺ軸方向を中心とする回転方向の、６自由度の位置調整が可能となる。
【発明の効果】
【００１４】
この発明によれば、画像表示装置の台座への取付位置の調整を容易に行うことができる。
【図面の簡単な説明】
【００１５】
【図１】この発明の第１実施形態に係る画像表示装置の取付構造の全体斜視図である。
【図２】（Ａ）は第１取付部材の斜視図であり、（Ｂ）は画像表示装置が台座に取り付けられた状態における第１取付部材の斜視図である。
【図３】（Ａ）は第２取付部材の一部の斜視図であり、（Ｂ）は画像表示装置が台座に取り付けられた状態における第２取付部材の斜視図である。
【図４】（Ａ）は第３取付部材の一部の斜視図であり、（Ｂ）は画像表示装置が台座に取り付けられた状態における第３取付部材の斜視図である。
【図５】この発明の第２実施形態に係る画像表示装置の取付構造の全体斜視図である。
【図６】（Ａ）は前記取付構造に備えられる第２取付部材の斜視図であり、（Ｂ）は画像表示装置が台座に取り付けられた状態における第２取付部材の斜視図である。
【図７】この発明の第３実施形態に係る画像表示装置の取付構造の全体斜視図である。
【図８】前記取付構造に備えられる第１取付部材の分解斜視図である。
【図９】画像表示装置が台座に取り付けられた状態における第１取付部材の斜視図である。
【図１０】前記取付構造に備えられる第２取付部材の分解斜視図である。
【図１１】画像表示装置が台座に取り付けられた状態における第２取付部材の斜視図である。
【図１２】前記取付構造に備えられる第３取付部材の分解斜視図である。
【図１３】画像表示装置が台座に取り付けられた状態における第３取付部材の斜視図である。
【発明を実施するための形態】
【００１６】
図１に示すように、この発明の第１実施形態に係る画像表示装置の取付構造１は、１以上の第１取付部材１０、１以上の第２取付部材２０、及び１以上の第３取付部材３０を備える。取付構造１によって、画像表示装置２が台座３に取り付けられる。ここで、互いに直交する３方向であるＸ軸方向、Ｙ軸方向、及びＺ軸方向を、画像表示装置２の表示画面の横軸方向に平行な方向をＸ軸方向、表示画面の縦軸方向に平行な方向をＹ軸方向、及び表示画面に直交する方向をＺ軸方向とする。
【００１７】
一例として、台座３は、Ｘ軸方向及びＹ軸方向に交差するフレーム構造に形成されている。また、一例として、取付構造１は、２個の第１取付部材１０、１個の第２取付部材２０、及び１個の第３取付部材３０を備えている。第１取付部材１０は、画像表示装置２の背面の下側の両端部の角部に取り付けられる。第２取付部材２０は、画像表示装置２の上側の一方の端部の角部に取り付けられ、第３取付部材３０は、画像表示装置２の上側の他方の端部の角部に取り付けられる。
【００１８】
画像表示装置２の取付構造１は、１個の画像表示装置２の台座３への取付位置の調整を行うために用いることができるが、複数の画像表示装置２が互いに隣接配置されてマルチディスプレイ装置を構成する場合により高い有効性が奏される。一例として、複数の画像表示装置２が、マトリクス配置される場合を想定する。
【００１９】
図２（Ａ）及び図２（Ｂ）に示すように、第１取付部材１０は、第１台座固定部材１１、第１装置固定部材１２、第１連結部材１３、及び第１調整ボルト１４を含む。第１台座固定部材１１は、溶接やネジ留め等によって台座３に固定される。第１装置固定部材１２は、ネジ留め等によって画像表示装置２に固定される。第１連結部材１３は、第１台座固定部材１１と第１装置固定部材１２とを、以下のようにして連結する。
【００２０】
第１台座固定部材１１は、雌ネジが形成された孔部１１１，１１２を有している。
【００２１】
第１装置固定部材１２は、Ｚ軸方向に第１調整ボルト１４がねじ込まれる第１ネジ孔１２１を有している。
【００２２】
第１連結部材１３は、Ｘ−Ｚ面及びＸ−Ｙ面を有するＬ字形の板部材で形成され、Ｘ−Ｚ面にＸ軸方向に長い長孔１３１，１３２を有し、Ｘ−Ｙ面にＹ軸方向に上方から直線状に切り込まれたスリット１３３を有している。Ｙ軸方向に長孔１３１，１３２を通して孔部１１１，１１２にビスがねじ込まれることで、第１台座固定部材１１と第１連結部材１３とを、Ｘ軸方向に互いに異なる複数の相対位置に配置された状態で連結することができる。
【００２３】
第１調整ボルト１４は、第１係止部１４１を有している。一例として、第１係止部１４１は、２枚の円板によってＸ−Ｙ面に平行に挿入自在な溝状に形成されている。第１係止部１４１に第１連結部材１３が嵌まるように第１調整ボルト１４をスリット１３３に挿入することで、第１調整ボルト１４は、第１連結部材１３に対するＺ軸方向の移動を規制されかつＹ軸方向に変位自在に第１係止部１４１を第１連結部材１３に係止される。
【００２４】
第１係止部１４１が第１連結部材１３に係止された状態で、第１装置固定部材１２の第１ネジ孔１２１に対する第１調整ボルト１４のねじ込み量を調整することで、第１装置固定部材１２と第１台座固定部材１１とのＺ軸方向の相対位置が調整される。
【００２５】
このように、第１取付部材１０は、画像表示装置２が台座３に取り付けられた状態において、Ｚ軸方向に台座３に対する画像表示装置２の取付位置を変動させる第１変動機構を有し、かつＸ軸方向及びＹ軸方向に台座３と画像表示装置２との相対位置が変位自在に構成されている。第１係止部１４１、スリット１３３、及び第１装置固定部材１２の第１ネジ孔１２１は、第１変動機構に含まれる。
【００２６】
図３（Ａ）及び図３（Ｂ）に示すように、第２取付部材２０は、第２台座固定部材２１、第２装置固定部材２２、第２連結部材２３、第２調整ボルト２４、第３調整ボルト２５、及び脱落防止部材２６を含む。
【００２７】
第２台座固定部材２１は、台座３に固定される。第２装置固定部材２２は、画像表示装置２に固定される。第２連結部材２３は、第２台座固定部材２１と第２装置固定部材２２とを以下のようにして連結する。
【００２８】
第２装置固定部材２２は、Ｚ軸方向に第２調整ボルト２４がねじ込まれる第２ネジ孔２２１を有している。
【００２９】
第２台座固定部材２１は、Ｙ軸方向に第３調整ボルト２５がねじ込まれる第３ネジ孔２１１を有している。
【００３０】
第２連結部材２３は、少なくともＸ−Ｚ面及びＸ−Ｙ面を有している。第２連結部材２３は、Ｘ−Ｚ面にＺ軸方向に直線状に切り込まれたスリット２３１を有している。第２連結部材２３は、Ｘ−Ｙ面に、上方からＹ軸方向に切り込まれ、この切り込みの下端部でＸ軸方向に長い長孔状に形成された切り込み部２３２を有している。即ち、切り込み部２３２は、逆Ｔ字形に形成されている。
【００３１】
第２調整ボルト２４は、第２係止部２４１を有している。第３調整ボルト２５は、第３係止部２５１を有している。第２調整ボルト２４及び第３調整ボルト２５は、第１調整ボルト１４と実質的に同様に構成されている。
【００３２】
第２係止部２４１に第２連結部材２３が嵌まるように第２調整ボルト２４を切り込み部２３２に挿入することで、第２調整ボルト２４は、第２連結部材２３に対するＺ軸方向の移動を規制され、かつＸ軸方向に変位自在に第２係止部２４１を第２連結部材２３に係止される。なお、第２調整ボルト２４は、画像表示装置２の重量によって切り込み部２３２の下端部に配置される。
【００３３】
第３係止部２５１に第２連結部材２３が嵌まるように第３調整ボルト２５をスリット２３１に挿入した後、第３調整ボルト２５がスリット２３１からＺ軸方向に抜けないように脱落防止部材２６を第２連結部材にネジ留め等によって取り付けることで、第３調整ボルト２５は、第２連結部材２３に対するＸ軸方向、Ｙ軸方向及びＺ軸方向の３方向の移動を規制されるように第３係止部２５１を第２連結部材２３に係止される。
【００３４】
第２係止部２４１が第２連結部材２３に係止された状態で、第２装置固定部材２２の第２ネジ孔２２１に対する第２調整ボルト２４のねじ込み量を調整することで、第２装置固定部材２２と第２台座固定部材２１とのＺ軸方向の相対位置が調整される。
【００３５】
同様に、第３係止部２５１が第２連結部材２３に係止された状態で、第２台座固定部材２１の第３ネジ孔２１１に対する第３調整ボルト２５のねじ込み量を調整することで、第２装置固定部材２２と第２台座固定部材２１とのＹ軸方向の相対位置が調整される。
【００３６】
このように、第２取付部材２０は、画像表示装置２が台座３に取り付けられた状態において、Ｚ軸方向及びＹ軸方向に台座３に対する画像表示装置２の取付位置を変動させる第２変動機構を有し、かつＸ軸方向に台座３と画像表示装置２との相対位置が変位自在に構成されている。第２係止部２４１、第３係止部２５１、スリット２３１、切り込み部２３２、及び第２装置固定部材２２の第２ネジ孔２２１、第２台座固定部材２１の第３ネジ孔２１１は、第２変動機構に含まれる。
【００３７】
図４（Ａ）及び図４（Ｂ）に示すように、第３取付部材３０は、画像表示装置２が台座３に取り付けられた状態において、Ｘ軸方向及びＹ軸方向のうち第２変動機構によって変動させられない方向を含み３方向のうちの少なくとも１方向に台座３に対する画像表示装置２の取付位置を変動させる第３変動機構を有し、かつ３方向のうち他の全方向に台座３と画像表示装置２との相対位置が変位自在に構成される。この第１実施形態では、第２変動機構は画像表示装置２をＺ軸方向及びＹ軸方向に変動させるので、第３変動機構は、少なくともＸ軸方向を含む方向であって３方向のうちの少なくとも１方向に画像表示装置２を変動させることになる。この第１実施形態では、第３変動機構は、Ｘ軸方向、Ｙ軸方向、及びＺ軸方向に画像表示装置２を変動させるように構成される。より具体的には、第３取付部材３０は、つぎのように構成される。
【００３８】
第３取付部材３０は、第３台座固定部材３１、第３装置固定部材３２、第３連結部材３３、第４調整ボルト３４、第５調整ボルト３５、第６調整ボルト３６、及び脱落防止部材３７を含む。
【００３９】
第３台座固定部材３１は、台座３に固定される。第３装置固定部材３２は、画像表示装置２に固定される。第３連結部材３３は、第３台座固定部材３１と第３装置固定部材３２とを以下のようにして連結する。
【００４０】
第３装置固定部材３２は、Ｘ−Ｙ面及びＹ−Ｚ面を有し、Ｘ−Ｙ面にＺ軸方向に第４調整ボルト３４がねじ込まれる第４ネジ孔３２１を有し、Ｙ−Ｚ面にＸ軸方向に第５調整ボルト３５がねじ込まれる第５ネジ孔３２２を有している。
【００４１】
第３台座固定部材３１は、Ｘ−Ｚ面を有し、Ｘ−Ｚ面にＹ軸方向に第６調整ボルト３６がねじ込まれる第６ネジ孔３１１を有している。
【００４２】
第３連結部材３３は、Ｘ−Ｚ面、Ｘ−Ｙ面、及びＹ−Ｚ面を有している。第３連結部材３３は、Ｘ−Ｚ面にスリット２３１と同様のスリット３３１を有し、Ｘ−Ｙ面に切り込み部２３２と同様の切り込み部３３２を有し、Ｙ−Ｚ面に切り込み部３３３を有している。切り込み部３３３は、上方からＹ軸方向に切り込まれ、この切り込みの下端部でＺ軸方向に長い長孔状に形成されている。
【００４３】
第４調整ボルト３４は、第４係止部３４１を有している。第５調整ボルト３５は、第５係止部３５１を有している。第６調整ボルト３６は、第６係止部３６１を有している。第４調整ボルト３４、第５調整ボルト３５、及び第６調整ボルト３６は、第１調整ボルト１４と実質的に同様に構成されている。
【００４４】
第４係止部３４１に第３連結部材３３が嵌まるように第４調整ボルト３４を切り込み部３３２に挿入することで、第４調整ボルト３４は、第３連結部材３３に対するＺ軸方向の移動を規制され、かつＸ軸方向に変位自在に第４係止部３４１を第３連結部材３３に係止される。なお、第４調整ボルト３４は、画像表示装置２の重量によって切り込み部３３２の下端部に配置される。
【００４５】
第５係止部３５１に第３連結部材３３が嵌まるように第５調整ボルト３５を切り込み部３３３に挿入することで、第５調整ボルト３５は、第３連結部材３３に対するＸ軸方向の移動を規制され、かつＺ軸方向に変位自在に第５係止部３５１を第３連結部材３３に係止される。なお、第５調整ボルト３５は、画像表示装置２の重量によって切り込み部３３３の下端部に配置される。
【００４６】
第６係止部３６１に第３連結部材３３が嵌まるように第６調整ボルト３６をスリット３３１に挿入した後、第６調整ボルト３６がスリット３３１からＺ軸方向に抜けないように脱落防止部材３７を第３連結部材３３にネジ留め等によって取り付けることで、第６調整ボルト３６は、第３連結部材３３に対するＸ軸方向、Ｙ軸方向及びＺ軸方向の３方向の移動を規制されるように第６係止部３６１を第３連結部材３３に係止される。
【００４７】
第４係止部３４１が第３連結部材３３に係止された状態で、第３装置固定部材３２の第４ネジ孔３２１に対する第４調整ボルト３４のねじ込み量を調整することで、第３装置固定部材３２と第３台座固定部材３１とのＺ軸方向の相対位置が調整される。
【００４８】
第５係止部３５１が第３連結部材３３に係止された状態で、第３装置固定部材３２の第５ネジ孔３２２に対する第５調整ボルト３５のねじ込み量を調整することで、第３装置固定部材３２と第３台座固定部材３１とのＸ軸方向の相対位置が調整される。
【００４９】
第６係止部３６１が第３連結部材３３に係止された状態で、第３台座固定部材３１の第６ネジ孔３１１に対する第６調整ボルト３６のねじ込み量を調整することで、第３装置固定部材３２と第３台座固定部材３１とのＹ軸方向の相対位置が調整される。
【００５０】
このように、第３取付部材３０は、画像表示装置２が台座３に取り付けられた状態において、Ｘ軸方向、Ｙ軸方向、及びＺ軸方向の３方向の全方向に台座３に対する画像表示装置２の取付位置を変動させる第３変動機構を有している。第４係止部３４１、第５係止部３５１、第６係止部３６１、スリット３３１、切り込み部３３２，３３３、第２装置固定部材３２の第４ネジ孔３２１、第５ネジ孔３２２、第３台座固定部材３１の第６ネジ孔３１１は、第３変動機構に含まれる。
【００５１】
つぎに、台座３に対する画像表示装置２の取付位置の調整方法について説明する。
【００５２】
２個の第１取付部材１０、第２取付部材２０及び第３取付部材３０の連結部材１３，２３，３３をそれぞれ対応する台座固定部材１１，２１，３１に、調整ボルト２５，３６を有効ネジ長さの半分程度までねじ込んだ状態で取り付ける。
【００５３】
調整ボルト１４，２４，３４，３５をそれぞれ有効ネジ長さの半分程度までねじ込んだ状態で、第１調整ボルト１４をスリット部１３３に、第２調整ボルト２４を切り込み部２３２に、第４調整ボルト３４を切り込み部３３２に、第５調整ボルト３５を切り込み部３３３に嵌めることで、画像表示装置２を台座３に取り付ける。
【００５４】
画像表示装置２の台座３への取付位置をＸ軸方向に調整する場合、第３取付部材３０の第５調整ボルト３５を回転させる。これによって、画像表示装置２は、Ｘ軸方向に平行に変動する。
【００５５】
画像表示装置２の台座３への取付位置をＹ軸方向に調整する場合、第２取付部材２０の第３調整ボルト２５及び第３取付部材３０の第６調整ボルト３６を、互いに同方向に回転させる。これによって、画像表示装置２は、Ｙ軸方向に平行に変動する。
【００５６】
画像表示装置２の台座３への取付位置をＺ軸方向に調整する場合、２個の第１取付部材１０のそれぞれの第１調整ボルト１４、第２取付部材２０の第２調整ボルト２４、及び第３取付部材３０の第４調整ボルト３４を、互いに同方向に回転させる。これによって、画像表示装置２は、Ｚ軸方向に平行に変動する。
【００５７】
また、第１調整ボルト１４，１４、第２調整ボルト２４、及び第４調整ボルト３４を個別に必要量ずつ回転させることで、隣接する画像表示装置２同士の表示画面の凹凸を低減させることができる。これによって、複数の画像表示装置２の表示画面で構成される大画面における凹凸を低減させることができる。
【００５８】
さらに、第１調整ボルト１４，１４、第２調整ボルト２４、及び第４調整ボルト３４の回転方向の組み合わせ次第で、画像表示装置２を、Ｘ軸方向を中心とする回転方向、Ｙ軸方向を中心とする回転方向に回転させることもできる。
【００５９】
また、第２取付部材２０の第３調整ボルト２５と第３取付部材３０の第６調整ボルト３６とを、互いに反対方向に回転させることで、画像表示装置２をＺ軸方向を中心とする回転方向に回転させることもできる。
【００６０】
このように、取付構造１によれば、画像表示装置２の台座３への取付位置について、Ｘ軸方向、Ｙ軸方向、及びＺ軸方向に加えて、Ｘ軸方向を中心とする回転方向、Ｙ軸方向を中心とする回転方向、及びＺ軸方向を中心とする回転方向の、６自由度の位置調整を行うことができる。
【００６１】
また、画像表示装置２の重量が大きい場合でも、作業者が調整ボルト１４，２４，２５，３４，３５，３６を回転させることで、回転量に応じて画像表示装置２の台座３への取付位置が変動するので、画像表示装置２の台座３への取付位置を容易に微調整することができる。
【００６２】
さらに、３方向の全方向について変動機構を備えるので、Ｚ軸方向の位置調整作業中におけるＸ軸方向及びＹ軸方向の位置ずれが抑制され、Ｙ軸方向の位置調整作業中におけるＸ軸方向及びＺ軸方向の位置ずれが抑制され、Ｘ軸方向の位置調整作業中におけるＹ軸方向及びＺ軸方向の位置ずれが抑制される。
【００６３】
したがって、画像表示装置２の台座３への取付位置の調整を容易に行うことができる。
【００６４】
図５に示すように、第２実施形態に係る画像表示装置２の取付構造１Ａは、１個の第１取付部材７０、１個の第２取付部材８０、及び２個の第３取付部材９０を備えている。第１取付部材７０は、画像表示装置２の背面の下側のＸ軸方向における一方の角部に取り付けられ、第２取付部材８０は、画像表示装置２の下側の他方の角部に取り付けられる。第３取付部材９０は、画像表示装置２の上側のＸ軸方向における両端部の角部に取り付けられる。
【００６５】
第２取付部材８０は、画像表示装置２が台座３に取り付けられた状態において、Ｚ軸方向及びＸ軸方向に台座３に対する画像表示装置２の取付位置を変動させる変動機構を有し、かつＹ軸方向に台座３と画像表示装置２との相対位置が変位自在であるように構成される。
【００６６】
図６（Ａ）及び図６（Ｂ）に示すように、第２取付部材８０は、第２台座固定部材８１、第２装置固定部材８２、第２連結部材８３、第２調整ボルト８４、第３調整ボルト８５、及び脱落防止部材８６を含む。
【００６７】
第２台座固定部材８１は、少なくともＹ−Ｚ面を有し、溶接やネジ留め等によって台座３に固定され、Ｘ軸方向に第３調整ボルト２５がねじ込まれる第３ネジ孔８１１をＹ−Ｚ面に有する。
【００６８】
第２連結部材８３は、Ｘ−Ｙ面及びＹ−Ｚ面を有する。第２連結部材８３は、Ｙ−Ｚ面に、Ｚ軸方向に背面側から正面側へ直線状に切り込まれたスリット８３１を有している。
【００６９】
第３調整ボルト８５は、第３係止部８５１を有している。第３調整ボルト８５は、第１調整ボルト１４と実質的に同様に構成されている。第３係止部８５１に第２連結部材８３が嵌まるように第３調整ボルト８５をＹ−Ｚ面のスリット８３１に挿入した後、第３調整ボルト８５がスリット８３１からＺ軸方向に抜けないように脱落防止部材８６を第２連結部材８３にネジ留め等によって取り付けることで、第３調整ボルト８５は、第２連結部材８３に対するＸ軸方向、Ｙ軸方向及びＺ軸方向の３方向の移動を規制されるように第３係止部８５１を第２連結部材８３に係止される。
【００７０】
第３調整ボルト８５を回転させることで、画像表示装置２が台座３に対してＸ軸方向に変動する。
【００７１】
第２連結部材８３は、Ｘ−Ｙ面に、Ｙ軸方向に上方から直線状に切り込まれたスリット８３２を有している。スリット８３２は、第１連結部材１３のスリット１３３と実質的に同様に構成されている。
【００７２】
第２調整ボルト８４は、第２係止部８４１を有している。第２調整ボルト８４は、第１調整ボルト１４と実質的に同様に構成されている。第２係止部８４１が第２連結部材８３に係止された状態で、第２装置固定部材８２の第２ネジ孔８２１に対する第２調整ボルト８４のねじ込み量を調整することで、第２装置固定部材８２と第２台座固定部材８１とのＺ軸方向の相対位置が調整される。
【００７３】
このように、第２取付部材８０は、画像表示装置２が台座３に取り付けられた状態においてＺ軸方向及びＸ軸方向に台座３に対する画像表示装置２の取付位置を変動させる変動機構を有し、かつＹ軸方向に台座３と画像表示装置２との相対位置が変位自在に構成されている。
【００７４】
この第２実施形態に係る取付構造１Ａでは、第１取付部材７０は、Ｚ軸方向に台座３に対する画像表示装置２の取付位置を変動させる変動機構を有することが好ましい。即ち、第１取付部材７０は、図２（Ａ）及び図２（Ｂ）に示す第１実施形態における第１取付部材１０と実質的に同様に構成されることが好ましい。また、第３取付部材９０は、Ｙ軸方向及びＺ軸方向に台座３に対する画像表示装置２の取付位置を変動させる変動機構を有することが好ましい。即ち、第３取付部材９０は、図３（Ａ）及び図３（Ｂ）に示す第１実施形態における第２取付部材２０と実質的に同様に構成されることが好ましい。
【００７５】
取付構造１Ａによっても、画像表示装置２の台座３への取付位置の調整を容易に行うことができる。
【００７６】
図７に示すように、第３実施形態に係る画像表示装置２の取付構造１Ｂは、２個の第１取付部材４０、２個の第２取付部材５０、及び１個の第３取付部材６０を備えている。第１取付部材４０は、画像表示装置２の背面の下側の両端部の角部に取り付けられる。第２取付部材５０は、画像表示装置２の上側の両端部の角部に取り付ける。第３取付部材６０は、画像表示装置２の上端部のＸ軸方向における中央部に取り付けられる。
【００７７】
図８及び図９に示すように、第１取付部材４０は、台座固定部材４１、装置固定部材４２、調整シャフト４３、調整板４４、及びシャフト取付板４５１，４５２を含む。
【００７８】
調整シャフト４３は、Ｙ軸方向に配置され、シャフト部４３１、円板部４３２、及び突起部４３３を有している。円板部４３２は、シャフト部４３１の下端に、シャフト部４３１と同心に設けられている。突起部４３３は、円板部４３２のシャフト部４３１とは反対側の面に、シャフト部４３１とは異なる中心軸を有するように設けられている。
【００７９】
調整シャフト４３は、シャフト部４３１の下端部に、ナット形状をなす操作部４３４をさらに有している。操作部４３４は、円板部４３２との間に間隙が設けられる位置において、シャフト部４３１に固定されている。
【００８０】
台座固定部材４１は、台座３に固定されている。台座固定部材４１は、Ｘ−Ｚ面に、孔部４１１を有している。孔部４１１は、Ｘ軸方向に長い長孔である。
【００８１】
調整板４４は、Ｚ軸方向に長いＺ軸長孔４４１を有している。Ｚ軸長孔４４１は、孔部４１１よりも大きい。調整板４４は、Ｚ軸長孔４４１を通して孔部４１１を露出させるように台座固定部材４１のＸ−Ｚ面に固定されている。
【００８２】
調整シャフト４３は、突起部４３３が孔部４１１に挿入され、円板部４３２がＺ軸長孔４４１内をＺ軸方向に摺動自在にＺ軸長孔４４１に嵌まるように配置されている。
【００８３】
シャフト取付板４５１，４５２は、シャフト部４３１を挟み付けるようにして円板部４３２と操作部４３４との間隙に挿入され、円板部４３２の上に被さるようにして調整板４４に取り付けられる。これによって、シャフト部４３１が台座固定部材４１に取り付けられる。シャフト取付板４５１，４５２が調整板４４に取り付けられた状態において、シャフト取付板４５１とシャフト板４５２との間には、調整シャフト４３をＺ軸方向に移動自在にするＺ軸方向に長い長孔が形成される。
【００８４】
装置固定部材４２は、画像表示装置２に固定されている。装置固定部材４２は、Ｘ−Ｚ面に、Ｘ軸方向に長いＸ軸長孔４２１を有している。Ｘ軸長孔４２１には、シャフト部４３１が挿入される。Ｘ軸長孔４２１は、シャフト部４３１のＺ軸方向の移動を規制する。シャフト部４３１は、Ｘ軸長孔４２１内をＸ軸方向及びＹ軸方向に変位自在である。
【００８５】
第１取付部材４０では、作業者が操作部４３４を操作して調整シャフト４３を回転させると、調整シャフト４３は突起部４３３を支点にして円板部４３２が回転し、シャフト部４３１がＺ軸長孔４４１に沿ってＺ軸方向に移動する。このように、第１取付部材４０では、クランク方式によってシャフト部４３１がＺ軸方向に移動する。
【００８６】
シャフト部４３１がＺ軸方向に移動すると、装置固定部材４２もシャフト部４３１とともにＺ軸方向に移動し、画像表示装置２も台座３に対してＺ軸方向に移動する。
【００８７】
このように、第１取付部材４０では、作業者による操作部４３４の回転量に応じて、画像表示装置２を台座３に対してＺ軸方向に移動させることができる。
【００８８】
図１０及び図１１に示すように、第２取付部材５０は、支持ナット４３５をさらに備え、シャフト部４３１に雄ネジが形成され、シャフト部４３１に支持ナット４３５が嵌められている点を除いて、第１取付部材４０と同様に構成されている。説明の便宜上、第１取付部材４０と同様の構成については同じ符号を使用する。
【００８９】
支持ナット４３５は、シャフト部４３１に嵌められ、作業者が支持ナット４３５を回転させることで、支持ナット４３５はシャフト部４３１に沿ってＹ軸方向に移動する。
【００９０】
装置固定部材４２は、Ｘ軸長孔４２１にシャフト部４３１が挿入されるように配置され、支持ナット４３５によってＹ軸方向に支持される。
【００９１】
作業者が支持ナット４３５を回転させることで、支持ナット４３５がＹ軸方向に移動し、これにともなって装置固定部材４２も台座３に対してＹ軸方向に移動する。
【００９２】
第２取付部材５０では、画像表示装置２を台座３に対してＺ軸方向に移動させるための機構にクランク方式が採用されており、画像表示装置２を台座３に対してＺ軸方向に変動させるために操作部４３４を回転させる面と、画像表示装置２を台座３に対してＹ軸方向に変動させるために支持ナット４３５を回転させる面とが平行であり、作業者の第２取付部材５０に対するアプローチの方向が同じなる。このため、画像表示装置２の台座３に対する取付位置の調整のために必要な作業スペースが小さくて済む。よって、画像表示装置２及び台座３の設置場所の自由度が向上する。
【００９３】
図１２及び図１３に示すように、第３取付部材６０は、画像表示装置２を台座３に対してＺ軸方向ではなくＸ軸方向に変動させるように構成される点を除いて、第１取付部材４０と同様に構成されている。説明の便宜上、第１取付部材４０と同様の構成については同じ符号を使用する。
【００９４】
第３取付部材６０では、台座固定部材６１の孔部６１１は、Ｚ軸方向に長い長孔である。調整板６４は、Ｚ軸長孔４４１に代えて、Ｘ軸方向に長いＸ軸長孔６４１を有している。Ｘ軸長孔６４１は、孔部６１１よりも大きい。
【００９５】
調整シャフト４３は、突起部４３３が孔部６１１に挿入され、円板部４３２がＸ軸長孔６４１内をＸ軸方向に摺動自在にＸ軸長孔６４１に嵌まるように配置されている。
【００９６】
シャフト取付板４５１，４５２は、シャフト取付板４５１とシャフト板４５２との間に、調整シャフト４３をＸ軸方向に移動自在にするＸ軸方向に長い長孔が形成されるように、調整板６４に取り付けられる。
【００９７】
装置固定部材６２は、Ｘ−Ｚ面に、Ｘ軸長孔４２１に代えて、Ｚ軸方向に長いＺ軸長孔６２１を有している。Ｚ軸長孔６２１は、シャフト部４３１のＸ軸方向の移動を規制する。シャフト部４３１は、Ｚ軸長孔６２１内をＺ軸方向及びＹ軸方向に変位自在である。
【００９８】
第３取付部材６０では、作業者が操作部４３４を操作して調整シャフト４３を回転させると、調整シャフト４３は突起部４３３を支点にして円板部４３２が回転し、シャフト部４３１がＸ軸長孔６４１に沿ってＸ軸方向に移動する。シャフト部４３１がＸ軸方向に移動すると、装置固定部材４２もシャフト部４３１とともにＸ軸方向に移動し、画像表示装置２も台座３に対してＸ軸方向に移動する。
【００９９】
第３実施形態に係る画像表示装置２の取付構造１Ｂでは、画像表示装置２の台座３への取付位置をＸ軸方向に調整する場合、作業者は第３取付部材６０の操作部４３４を回転させる。これによって、画像表示装置２は、Ｘ軸方向に平行に変動する。
【０１００】
画像表示装置２の台座３への取付位置をＹ軸方向に調整する場合、２個の第２取付部材５０の支持ナット４３５を互いに同方向に回転させる。これによって、画像表示装置２は、Ｙ軸方向に平行に変動する。
【０１０１】
画像表示装置２の台座３への取付位置をＺ軸方向に調整する場合、２個の第１取付部材４０のそれぞれの操作部４３４、及び２個の第２取付部材５０のそれぞれの操作部４３４を、互いに同方向に回転させる。これによって、画像表示装置２は、Ｚ軸方向に平行に変動する。
【０１０２】
また、２個の第１取付部材４０のそれぞれの操作部４３４及び２個の第２取付部材５０のそれぞれの操作部４３４を個別に必要量ずつ回転させることで、隣接する画像表示装置２同士の表示画面の凹凸を低減させることができる。これによって、複数の画像表示装置２の表示画面で構成される大画面における凹凸を低減させることができる。
【０１０３】
さらに、画像表示装置２の一方の側端部の第１取付部材４０の操作部４３４と第２取付部材５０の操作部４３４とを１組とし、他方の側端部の第１取付部材４０の操作部４３４と第２取付部材５０の操作部４３４とを１組とし、同じ組の操作部４３４同士は互いに同方向に回転させ、異なる組の操作部４３４とは反対方向に回転させることで、画像表示装置２をＹ軸方向を中心として回転させることができる。
【０１０４】
同様に、２個の第１取付部材４０の操作部４３４を１組とし、２個の第２取付部材５０の操作部４３４を１組とし、同じ組の操作部４３４同士は互いに同方向に回転させ、異なる組の操作部４３４とは反対方向に回転させることで、画像表示装置２をＸ軸方向を中心として回転させることができる。
【０１０５】
また、一方の第２取付部材５０の支持ナット４３５と他方の第２取付部材５０の支持ナット４３５とを互いに反対方向に回転させることで、画像表示装置２をＺ軸方向を中心として回転させることができる。
【０１０６】
このように、取付構造１Ｂによっても、画像表示装置２の台座３への取付位置について、Ｘ軸方向、Ｙ軸方向、及びＺ軸方向に加えて、Ｘ軸方向を中心とする回転方向、Ｙ軸方向を中心とする回転方向、及びＺ軸方向を中心とする回転方向の、６自由度の位置調整を行うことができる。
【０１０７】
また、画像表示装置２の重量が大きい場合でも、取付部材４０，５０，６０の各操作部４３４及び支持ナット４３５を回転させることで、画像表示装置２の台座３への取付位置を容易に微調整することができる。
【０１０８】
さらに、３方向の全方向について変動機構を備えるので、Ｚ軸方向の位置調整作業中におけるＸ軸方向及びＹ軸方向の位置ずれが抑制され、Ｙ軸方向の位置調整作業中におけるＸ軸方向及びＺ軸方向の位置ずれが抑制され、Ｘ軸方向の位置調整作業中におけるＹ軸方向及びＺ軸方向の位置ずれが抑制される。
【０１０９】
したがって、画像表示装置２の台座３への取付位置の調整を容易に行うことができる。
【０１１０】
なお、第３取付部材６０は、画像表示装置２の下端部のＸ軸方向における中央部に取り付けることもできる。
【０１１１】
また、取付部材１０，２０，３０、取付部材７０，８０，９０、及び取付部材４０，５０，６０の画像表示装置２の背面における取付位置及び取付個数は、上記各実施形態に記載された箇所及び個数に限定されない。
【０１１２】
さらに、取付部材１０，２０，３０のうちの何れかを、取付部材４０，５０，６０の中で同機能を有するもので代替して使用することができる。同様に、取付部材４０，５０，６０のうちの何れかを、取付部材１０，２０，３０の中で同機能を有するもので代替して使用することもできる。
【０１１３】
同様に、取付部材７０，８０，９０のうちの何れかを、取付部材４０，５０，６０の中で同機能を有するもので代替して使用することができ、取付部材４０，５０，６０のうちの何れかを、取付部材７０，８０，９０の中で同機能を有するもので代替して使用することもできる。
【０１１４】
上述の実施形態のそれぞれの技術的特徴を互いに組み合わせることで、新たな実施形態を構成することが考えられる。
【０１１５】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【０１１６】
１，１Ａ，１Ｂ…取付構造
２…画像表示装置
３…台座
１０，４０，７０…第１取付部材
２０，５０，８０…第２取付部材
３０，６０，９０…第３取付部材
１１…第１第座固定部材
１２…第１装置固定部材
１３…第１連結部材
１４…第１調整ボルト
２１，８１…第２台座固定部材
２２，８２…第２装置固定部材
２３，８３…第２連結部材
２４，８４…第２調整ボルト
２５，８５…第３調整ボルト
３１…第３台座固定部材
３２…第３装置固定部材
３３…第３連結部材
３４…第４調整ボルト
３５…第５調整ボルト
３６…第６調整ボルト
４１，６１…台座固定部材
４２，６２…装置固定部材
４３…調整シャフト
【図１】
0006469461.tif 000002
【図２】
0006469461.tif 000003
【図３】
0006469461.tif 000004
【図４】
0006469461.tif 000005
【図５】
0006469461.tif 000006
【図６】
0006469461.tif 000007
【図７】
0006469461.tif 000008
【図８】
0006469461.tif 000009
【図９】
0006469461.tif 000010
【図１０】
0006469461.tif 000011
【図１１】
0006469461.tif 000012
【図１２】
0006469461.tif 000013
【図１３】
0006469461.tif 000014